(57)【要約】【課題】  デジタルスチルカメラやデジタルビデオカメラにおいて、複数のファインダーを備えたものの場合、撮影スタイルに応じてユーザーがファインダーのON/OFFを切り替えなければならなかった。【解決手段】  無線タグ技術の実用化を向かえ、外部に存在する無線タグ情報を非接触で読み取り可能な情報取得手段を備えたカメラにおいて、無線タグ検出状況、及び検出した無線タグ情報をもとに、現在の撮影者の撮影スタイルを推測し、画像表示装置制御を行う。あらかじめ決められた通信範囲内に任意のタグを検出した場合、撮影者は接眼タイプのファインダを使用すると想定し、それに適した画像表示装置制御を行う。【選択図】  図６
2007329566.tif 000002
【特許請求の範囲】
【請求項１】
非接触の信号伝送形式によって外部から送出される情報を取得する情報取得手段と、光学部材から構成される被写体像観察手段と、撮像素子にて受光した被写体像を表示可能な画像表示装置を備えたカメラにおいて、情報取得手段にて任意の情報が取得された場合、画像表示装置への画像表示を停止し、任意の情報が取得されなかった場合、画像表示装置への画像表示を行うように作用する制御方法。
【請求項２】
請求項１のカメラで、撮影モードと再生モードを切り替えて使用可能なモード切替手段を備え、再生モードの場合は請求項１の画像表示装置制御方法を適用しないことを特徴とする制御方法。
【請求項３】
非接触の信号伝送形式によって外部から送出される情報を取得する情報取得手段と、撮像素子にて受光した被写体像を表示可能な画像表示装置を複数備えたカメラにおいて、情報取得手段にて任意の情報が取得された場合、一方の画像表示装置への画像表示を停止し、一方の画像表示装置への画像表示を行うように作用する制御方法。
【請求項４】
非接触の信号伝送形式によって外部から送出される情報を取得する情報取得手段と、光学部材から構成される被写体像観察手段と、撮影済み画像を表示可能な画像表示装置を備えたカメラにおいて、情報取得手段にて任意の情報が取得された場合、画像表示装置への画像表示を停止し、任意の情報が取得されなかった場合、画像表示装置への画像表示を行うように作用する制御方法。
【請求項５】
前記情報取得手段は、外部からの情報を取得するための誘電電波出力を所定、あるいは任意のレベルに調節することができることを特徴とする請求項１乃至４に記載の制御方法。
【請求項６】
前記情報取得手段は、カメラ背面方向に誘電電波を出力するようにカメラに取り付けることを特徴とする請求項１乃至５に記載の制御方法。
【発明の詳細な説明】
【技術分野】
【０００１】
本発明は、デジタルスチルカメラやデジタルビデオカメラに搭載されている画像表示装置を、撮影スタイルに応じて制御することに関する。
【背景技術】
【０００２】
通常、デジタルスチルカメラやデジタルビデオカメラはファインダーを備えており、撮影者はファインダーを見ながら構図やピントや露出を決めて撮影する。ファインダーには、被写体像をそのまま確認できる光学式のものや、レンズ、撮像素子、画像処理ＬＳＩを経て生成された画像をＬＣＤなどの画像表示装置に表示する電子式のものが知られている。また、画像表示装置はファインダーを用途とするだけでなく、撮影した画像を再生表示することも可能となっている。
【０００３】
カメラには、電子式ファインダーを複数持つもの、電子式ファインダーと光学式ファインダーを併せ持つもの、光学式ファインダーと再生のみ可能な表示装置を備えたものなど、様々な形態がある。撮影者は、そのときの撮影スタイルに応じて、どのファインダーを用いるかを切り替えて使用し、また、撮影した画像を表示装置に表示させて撮影結果を確認する。
【０００４】
近年、超小型無線タグ技術の実用化を迎え、無線タグが様々な物に備わっていくことが想定されている。今後、無線タグを用いた、様々な応用技術が考えられる。
【特許文献１】特開２００４−２４５９１０  号公報
【発明の開示】
【発明が解決しようとする課題】
【０００５】
デジタルスチルカメラやデジタルビデオカメラにおいて、複数のファインダーを備えたものの場合、撮影スタイルに応じてユーザーがファインダーのON/OFFを切り替えなければならなかった。
【０００６】
特開２００４−２４５９１０で提案されている無線タグ情報取得手段を用いた視度調整可能なカメラにおいて、ユーザーが接眼タイプのファインダーを覗いたことをセンサーが自動的に検出してファインダーの ON/OFF を切り替えたり、LCD などの画像表示装置が開閉されたことに応じてもう一方の接眼タイプのファインダーの ON/OFF を自動的に切り替えようとした場合、別途専用センサーを必要としていた。
【課題を解決するための手段】
【０００７】
外部に存在する無線タグ情報を非接触で読み取り可能な情報取得手段と、光学部材から構成される被写体像観察可能なファインダー、撮像素子で受光した被写体像を画像処理して画像表示装置に表示可能な画像表示装置を単数、もしくは複数備え、無線タグ検出状況、及び無線タグ情報をもとに、現在の撮影者の撮影スタイルを推測し、画像表示装置制御を行う。
【発明の効果】
【０００８】
ユーザーの撮影スタイルに応じて自動的にファインダーが切り替わるため、ユーザーの使い勝手が向上する。
【０００９】
無線タグ情報を読み取り可能なデジタルスチルカメラやデジタルビデオカメラにおいて、別途専用センサーを備えなくとも、ユーザーの撮影スタイルに応じた画像表示装置の切替が可能となり、コストダウンにつながる。
【発明を実施するための最良の形態】
【００１０】
本発明の実施の形態を、以下の実施例において記載する。
【００１１】
以下、図面に沿って本発明の実施の形態を説明する。
【００１２】
[図５]に実施形態のシステム全体図を示す。
【００１３】
レンズ10により外光を集光する。[図５]ではレンズは１枚として表現しているが、複数枚のレンズから構成されたレンズユニットを搭載することも可能である。また、レンズ位置を光軸に沿って前後に動かすことで焦点を調節したり、画角を調節することも可能である。レンズを含む鏡筒部を繰り出し及び繰り込みさせる方式とし、カメラ未使用時の本体体積を小さくして携帯性をあげることも可能である。レンズを通過した光は絞り14により、その光量を調節することができる。システム制御60は、絞り制御情報を絞り駆動回路26に伝達することで、絞り14を制御することが可能である。システム制御60から絞り駆動回路26への制御情報伝達は、シリアル通信やパルス信号などがあり、絞り駆動回路26の仕様に合わせて適した手段をとる。絞り14は、複数枚の羽から構成された虹彩絞りや、あらかじめ、板を様々な径で穴を打ち抜いた丸絞りがある。システム制御はこれらの絞り14と絞り駆動回路26を用い、被写体輝度が高い場合は絞りを絞って光量を落とすように制御し、被写体輝度が低い場合は絞りを開放にして光を多く取り込むように制御することが可能である。システム制御60は、メカニカルシャッター制御情報をメカニカルシャッター駆動回路28に伝達することで、メカニカルシャッター12を制御することが可能である。静止画撮影時の露光時間は、シャッター12の開閉時間により決定され、この時間はシステム制御60が時間を判断し、メカニカルシャッター駆動回路28に指示を出す。
【００１４】
レンズ10、メカニカルシャッター12、絞り14を通過した光は撮像素子16に受光される。[図５]では撮像素子16をＣＣＤ（Charge Coupled Devices）センサーとしているが、ＣＭＯＳ（Complementary Metal Oxide Semiconductor）センサーを搭載することも可能である。システム制御60は、撮像素子制御信号をＴＧ（TimingGenerator）24に伝達することで、撮像素子16を制御することができる。システム制御60からＴＧ24への制御情報伝達は、シリアル通信やパラレルバス通信などがあり、ＴＧ24の仕様に合わせて適した手段をとる。ＴＧ24は、システム制御60から受信した制御情報をもとに撮像素子16を駆動する。撮像素子16は素子への露光と、露光したデータの読み出し作業を周期的に行っており、この作業はＴＧ24からの駆動信号を基準に行われる。またＴＧ24は、撮像素子16の露光時間を制御することが可能である。任意のタイミングで、素子がチャージした電荷を開放するように、ＴＧ24から撮像素子16へ駆動信号を出すことでこれを可能としている。
【００１５】
撮像素子16から読み出された画像データは、ＣＤＳ（Correlated Double Sampler）回路18を通過する。ＣＤＳは相関二重サンプリング方式により画像データのノイズ成分を除去することを主な役割とする。その後、画像データはＰＧＡ（Programmable Gain Amplifier）回路20により、画像データレベルを増幅することができる。システム制御60は、増幅レベルをＰＧＡ20に伝達することで、増幅量を制御することができる。システム制御60からＰＧＡ20への制御情報伝達は、シリアル通信やパラレルバス通信などがあり、ＰＧＡ20の仕様に合わせて適した手段をとる。通常、撮像素子16の露出を適正するには、絞り14で撮像素子16への露光量を適切に設定すると共に、シャッターにより露光時間を適切に設定することで実現されるが、ＰＧＡ20で画像データを増幅することで、擬似的に画像データの露出を変える役割を担うことができる。被写体輝度が極端に低い暗中の場合、絞り14を開放にして露光量が最大になるようにし、撮像素子16の露光時間を可能な限り延ばすことで、より多くの光を受光するように制御する。しかし、絞り14はある一定以上は開放にできないといったメカ構造上の制約があり、また、撮像素子16の露光時間を延ばしていくと、画像データの更新周期が長くなるといった実用上の限界がある。この場合、画像データレベルが低くなり、露出不足として暗い画像が撮影されてしまう。この現象を改善する方法として、ＰＧＡ20にて画像データレベルを増幅し、画像の露出が適正になるように制御する。
【００１６】
画像データはＡ／Ｄ（Analog/Digital Converter）回路22にてアナログ信号からデジタル信号へ変換される。デバイスにより、デジタル信号のビット幅は１０ビット、１２ビット、１４ビットなどがあり、後段の信号処理回路50は、複数種類のビット幅に対応可能である。
【００１７】
[図５]では、ＣＤＳ、ＰＧＡ、Ａ／Ｄをそれぞれ別のブロックとして表現しているが、一つのＩＣパッケージにこれらの機能を搭載したものを採用することも可能である。
【００１８】
デジタル化された画像データは信号処理回路50へ入力される。信号処理回路50は、主に画質を向上させることを目的とし、様々な画像処理ブロックから構成させる。
【００１９】
信号処理回路50で画像処理を行った画像データを、ＬＣＤなどの画像表示装置108,206,208,308に出力する場合、ＶＲＡＭ30上に展開したデジタルデータをＤ／Ａ34にてアナログデータに変換して出力する。画像表示装置108,206,208,308には、画像だけでなく任意の情報を単独、もしくは画像と共に表示することが可能である。カメラの状態表示や、ユーザーが選択したパラメータの更新表示に使用することで、ユーザーインターフェースをとることが可能となる。任意の情報の表示位置、表示色も任意に選択可能である。また、画像表示装置108,206,208,308には、画像記憶媒体42に記憶されている画像データを表示することも可能である。画像データが圧縮されている場合、圧縮伸張ブロック32にて伸張し、ＶＲＡＭ30にデータを展開する。このデータをＤ／Ａ34にてアナログデータに変換して出力する。
【００２０】
本発明では、この画像表示装置への表示制御を適切に行うことを目的とする。
【００２１】
[図１]に、デジタルスチルカメラの使用スタイルの例を示す。[図１](a)は、腕を伸ばしてカメラを構えている。これは、カメラ背面に搭載されたＬＣＤなどの画像表示装置をファインダーとして撮影する場合や、撮影済みの画像を画像表示装置に再生し、それを参照する場合などの使用が想定される。[図１](b)は、カメラに搭載された光学ファインダーや電子ファインダーを覗いて撮影するといった、従来から知られる一般的なカメラの撮影スタイルである。[図１](a)と[図１](b)の撮影スタイルでは、カメラと撮影者の顔の距離が大きく異なっている。このとき、撮影者の顔付近に無線タグがある場合、[図１](a)ではカメラが無線タグを検出できず、[図１](b)ではカメラが無線タグを検出することができるようになり、無線タグの検出結果によって撮影者の撮影スタイルを想定することが可能となる。[図１]では、撮影者の眼鏡に無線タグ90が装着されているとした図を示している。
【００２２】
カメラシステム[図５]には、無線タグ（RFID）読み取り部80を備えている。無線タグ読み取り部80は、カメラ外部の無線タグ90内のＲＯＭ96内の情報を非接触で読み取ることが可能となっている。無線タグ90内のＲＯＭ96には、あらかじめ任意の情報を格納することが可能となっており、[図１]の場合、眼鏡に装着された無線タグ90には、眼鏡であることの情報が格納されている。無線タグ読み取り部80は、無線タグ90の情報を読み取る際に使用する誘電電波の出力を任意のレベルに調節することが可能となっている。[図１](b)でファインダーを覗いて撮影する場合のカメラと撮影者の顔の距離をあらかじめ考慮し、[図１](b)の場合には無線タグを検出可能、[図１](a)の場合には検出不可となるようにすることが可能となっている。また、無線タグ読み取り部80は、指向性を調節してカメラに搭載する。本発明ではカメラでの使用を考えているが、この場合、カメラ使用者である撮影者とカメラの位置関係は、カメラ背面側に使用者が位置する関係を想定している。この場合、カメラ背面方向に対して誘電電波が出力されるようにすれば良い。
【００２３】
[図２][図３][図４]に、画像表示装置の様々な構成を実現しているカメラを示す。
【００２４】
[図２]は、１つの光学ファインダー106と１つの画像表示装置108を備えたカメラである。光学ファインダー106は、被写体像をそのまま視覚できる機能を提供している。この光学ファインダー106を使用する撮影スタイルとしては[図１](b)が想定される。画像表示装置108には、信号処理回路50、ＶＲＡＭ30、Ｄ／Ａ34 を経て生成されたライブ画像を表示することが可能となっており、電子ファインダーとして使用することが可能となっている。この電子ファインダーを使用する撮影スタイルとしては、[図１](a)が想定される。[図２]のカメラにおいて、光学ファインダー106を使用する場合、電子ファインダーとして画像表示装置108を使うことがないため、画像表示装置108の通電をＯＦＦすることが省電力的に望ましい。
【００２５】
[図３]は、２つの画像表示装置206,208を備えたカメラである。いずれの画像表示装置にもライブ画像を表示することが可能となっており、撮影者の撮影スタイルに応じて使い分けることができる。画像表示装置にはＬＣＤが使用されることが多いが、ＬＣＤは、外光が明るすぎる場合に視認性が落ちる場合がある。外光の影響を避けるためには、画像表示装置206のようにカメラ内部にＬＣＤを取り付けることが有効である。
【００２６】
[図４]は、１つの光学ファインダー306と１つの画像表示装置308を備えたカメラである。構成は[図２]と似ているが、画像表示装置308にはライブ画像の表示ができない。これは、[図５]の光学ファインダー11とメカニカルシャッター12の機構に依存している。[図４]のカメラは、レンズ10を通過した外光をミラーに反射させ、光学ファインダー内に外光を導いているため、撮像素子16まで光が届いていない。また、メカニカルシャッター12も閉じている。撮影時のみミラーを上げ、撮影時に露光する時間だけシャッターを開ける仕組みとなっている。このように、[図４]の画像表示装置308にはライブ画像を表示することができないため、ファインダーとして使用することはできず、撮影画像を再生することを主な用途としている。使用スタイルとしては、[図１](b)のスタイルで撮影し、[図１](a)のスタイルで撮影画像を確認する、といったことが想定される。
【００２７】
[図２][図３][図４]のカメラは操作部70を備え、電源ＯＮ／ＯＦＦスイッチ102,202,302、撮影開始スイッチ104,204,304、モード切替スイッチ110,210,310、パラメータ選択スイッチ151,153,155,157,159,251,253,255,271,273,275,277,351,353,371,373,375などのスイッチから構成される。これらの操作部材の操作情報はシステム制御60に伝達され、操作に応じたシーケンスが実行される。
【００２８】
モード切替スイッチ110,210,310では、撮影モードと再生モードの切換や、それぞれのモードにおいて様々な設定を切り替えることができる。さらに、撮影モードでは、風景撮影、人物撮影、スポーツ撮影など、シーンに応じて適した設定をカメラが自動的に行うようにユーザーが選択することができる。また、一般的にＡｖ優先モード、Ｔｖ優先モード、マニュアルモードと呼ばれる、ユーザーが任意の絞り値やシャッター速度を選んで撮影することも可能である。
【００２９】
パラメータ選択スイッチ151,153,155,157,159,251,253,255,271,273,275,277,351,353,371,373,375で、撮影時の各種パラメータを選択することが可能となっている。撮影モードをＴｖ優先モードに選択すれば、パラメータ選択スイッチで所望のシャッター速度を選択することが可能となっている。また、再生モードでは、撮影した複数の画像を順次再生していくといった操作が可能となっている。
【００３０】
[図６]に、[図２]の構成のカメラにおける、撮影モードで起動後の画像表示装置の制御フローを示す。まず、電子ビューファインダーモードを判定するS100。これは撮影者がパラメータ選択スイッチ151,153,155,157,159を操作して、光学ファインダー106を常に使用するか、電子ファインダー108を常に使用するか、カメラ側で自動切換えするか、を、あらかじめ選択することができる。電子ビューファインダー強制ＯＦＦの場合、無線タグ読み取りに必要な誘電電波発信を停止S102、電子ビューファインダＯＦＦとするS112。電子ビューファインダー強制ＯＮの場合、誘電電波発信を停止しS106、電子ビューファインダＯＮとするS114。電子ビューファインダモードが自動切換えの場合、無線タグ読み取りを開始するために誘電電波発信を開始するS104。その後、誘電電波を受信できているかを判定するS108。ここでなにも受信できない場合、カメラ近くには何も無く、撮影者は光学ファインダー106を使用していないと判断して電子ビューファインダー108をＯＮにするS114。何かしらの誘電電波が受信できている場合は、ファインダー切換が許可されている無線タグかどうかを判定するS110。[図１]の例の場合、眼鏡装着者が撮影者であることを想定しているため眼鏡タグを切換許可タグとし、判定S110で眼鏡タグだった場合、電子ビューファインダ108をＯＦＦにする。眼鏡以外のタグの場合、光学ファインダーを使用する意図が無いものとし、電子ビューファインダ108をＯＮにしておく。
【００３１】
ここでは切換許可タグを眼鏡としたが、パラメータ選択スイッチ151,153,155,157,159を操作して、切換許可タグを撮影者がカスタマイズすることが可能となっている。帽子タグ、イヤホンタグ、ヘアピンタグなど、撮影者の顔付近に装着されている物を登録しておくことができ、様々な条件で自動ファインダ切換機能を有効に使用可能できる。
【００３２】
[図９]に、[図２]の構成のカメラにおける、再生モードで起動後の画像表示装置の制御フローを示す。[図２]の構成のカメラのように、１つの画像表示装置を備えるカメラの場合、再生モード起動時は画像表示装置のみを使用することが想定されるため、無線タグ検出による画像表示自動制御は行わない。まず、誘電電波の発信を停止するS400。その後、電子ビューファインダーモードを判定するS402。電子ビューファインダー強制ＯＦＦの場合、電子ビューファインダＯＦＦとするS404。電子ビューファインダー強制ＯＮの場合、電子ビューファインダＯＮとするS406。
【００３３】
[図７]に、[図３]の構成のカメラにおける画像表示装置の制御フローを示す。[図３]の構成のカメラは、撮影モードと再生モードを持ち、ユーザーがそれぞれのモードに切り替えて使用するカメラであるが、画像表示装置を複数持つため、撮影モード、再生モードに関わらず、[図７]で示すシーケンスを適用する。起動後、電子ビューファインダーモードを判定するS200。これは撮影者がパラメータ選択スイッチ251,253,255,271,273,275,277を操作して、電子ファインダー206を使用するか、電子ファインダー208を使用するか、カメラ側で自動切換えするか、を、あらかじめ選択することができる。常に電子ファインダー208を使用する場合、無線タグ読み取りに必要な誘電電波発信を停止S202、電子ファインダー206をＯＦＦ＆電子ファインダー208をＯＮとするS214。常に電子ファインダー206を使用する場合、無線タグ読み取りに必要な誘電電波発信を停止S204、電子ファインダー206をＯＮ＆電子ファインダー208をＯＦＦとするS216。電子ビューファインダモードが自動切換えの場合、無線タグ読み取りを開始するために誘電電波発信を開始するS204。その後、誘電電波を受信できているかを判定するS206。ここでなにも受信できない場合、カメラ近くには何も無く、撮影者は電子ファインダー206を使用していないと判断して電子ファインダー206をＯＦＦ＆電子ファインダー208をＯＮとするS214。何かしらの誘電電波が受信できている場合は、ファインダー切換が許可されている無線タグかどうかを判定するS210。[図１]の例の場合、眼鏡装着者が撮影者であることを想定しているため眼鏡タグを切換許可タグとし、判定S210で眼鏡タグだった場合、電子ファインダー206をＯＮ＆電子ファインダー208をＯＦＦとするS216。眼鏡以外のタグの場合、電子ファインダー206を使用する意図が無いものとし、電子ファインダー206をＯＦＦ＆電子ファインダー208をＯＮとするS214。先の[図６]のフローの説明と同様に、眼鏡以外の任意のタグを、撮影者があらかじめ登録することも可能である。
【００３４】
[図８]に、[図４]の構成のカメラにおける画像表示装置の制御フローを示す。フローは大きく分けて、無線タグ通信のループ、再生表示制御のループ、撮影制御のループから形成される。[図４]のカメラには、[図２] [図３]のカメラのように撮影モードや再生モードといったモードの概念がなく、任意のタイミングでパラメータ選択スイッチ351,353,371,373,375を操作して、画像を再生することが可能となっている。
【００３５】
無線タグ通信ループではまず、自動再生が許可されているかどうかを判定するS300。これは、パラメータ選択スイッチ351,353,371,373,375を操作して、自動再生を許可するか、禁止するかをあらかじめ撮影者が選択することができる。自動再生禁止設定の場合、無線タグ通信のための誘電電波発信は停止しておくS302。自動再生許可設定の場合、誘電伝は発信を開始するS304。その後、無線タグからの誘電電波が受信できているかどうかを判定するS306。誘電電波が受信できない場合は光学ファインダー306を使用していないと判断し、自動再生情報をＯＮとして記憶しておくS310。誘電電波が受信できた場合は、その無線タグが再生禁止タグかどうかを判定するS308。再生禁止タグの種類は、あらかじめ撮影者が任意のタグを登録しておくことが可能となっている。禁止タグだった場合、撮影者が光学ファインダーS306を使用していると判断し、自動再生情報をＯＦＦとして記憶しておくS310。禁止タグではなかった場合、自動再生情報をＯＮとして記憶しておく。
【００３６】
再生表示ループではまず、自動再生が許可されているかどうかを判定するS330。これは、パラメータ選択スイッチ351,353,371,373,375を操作して、自動再生を許可するか、禁止するかをあらかじめ撮影者が選択することができる。自動再生禁止設定の場合、さらにパラメータ選択スイッチ351,353,371,373,375を操作して手動再生が指示されていないかを判定するS334。判定結果に応じて、再生制御S340や再生停止制御S342を行う。S330で自動再生が許可されていると判定した場合、実際に自動再生するか否かを、自動再生ＯＮ／ＯＦＦ記憶メモリーS310から読み出した結果に基づいて判定するS332。自動再生ＯＮと判定した場合は再生しS336、自動再生ＯＦＦと判定した場合は再生を停止するS338。
【００３７】
撮影制御のループでは、撮影開始ボタン304押下による撮影開始指示がされているかどうかを判定するS350。撮影開始が指示された場合は撮影しS352、撮影後は次の撮影のための撮影開始指示待ち状態に入る。
【００３８】
このように、無線タグ通信のループ、再生表示制御のループ、撮影制御のループを平行実行する。撮影者が光学ファインダー306を使用して撮影している最中は、再生禁止タグが検出され続けているためS308、自動再生記憶メモリにはＯＦＦが記憶された状態が続きS310、自動再生されることはない。撮影動作を中断して光学ファインダー306から目を離すと、誘電電波が受信できなくなりS306、自動再生記憶メモリにはＯＮが記憶され、再生制御ループにて再生制御が実行されるS336。
【００３９】
以上、[図２][図３][図４]で示した構成のカメラのフローを示した。
【００４０】
実施例では、撮影者がファインダー106,206,306を使用する際に、顔付近にある無線タグに反応して表示装置を切り替えるものを示したが、逆に、撮影者がカメラを使用しない場合を想定した、表示装置制御も可能である。撮影者が撮影動作を中断した後は、手首や首にストラップでカメラを吊るした状態になるため、カメラがウェストのベルト付近に近づくことを想定し、ベルトタグを検出した場合は撮影する意図がないとして、電子ファインダーを自動でＯＦＦするといったことなどが考えられる。
【図面の簡単な説明】
【００４１】
【図１】撮影者のカメラ利用スタイル。
【図２】カメラ外観。
【図３】カメラ外観。
【図４】カメラ外観。
【図５】システム全体図。
【図６】制御フロー。
【図７】制御フロー。
【図８】制御フロー。
【図９】制御フロー。
【符号の説明】
【００４２】
１０  レンズ
１１  光学ファインダー
１２  メカニカルシャッター
１４  絞り
１６  撮像素子
１８  ＣＤＳ
２０  ＰＧＡ
２２  Ａ／Ｄ
２４  ＴＧ
２６  絞り駆動回路
２８  メカニカルシャッター駆動回路
５０、３０  ＶＲＡＭ
３２  圧縮伸張回路
３４  Ｄ／Ａ
１０８、２０６、２０８，３０８  画像表示装置
８０  ＲＦＩＤ読み取り部
９０  無線タグ
６０  システム制御
７０  カメラ操作部
【図１】
2007329566.tif 000003
【図２】
2007329566.tif 000004
【図３】
2007329566.tif 000005
【図４】
2007329566.tif 000006
【図５】
2007329566.tif 000007
【図６】
2007329566.tif 000008
【図７】
2007329566.tif 000009
【図８】
2007329566.tif 000010
【図９】
2007329566.tif 000011